【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
少なくとも１つの記録層を有する当該記録担体の入射面から入射する放射ビームによって、前記記録層の記録可能な領域上のトラック中にマークを書き込むことにより情報を記録する、書込可能型の記録担体であって、
前記マークが、ビームによる前記トラックの走査中において、第１のタイプの放射の変動により検出可能なマークであり、
前記記録層の各々が、前記トラックの位置を示すプリグルーブを含んでおり、該プリグルーブが、前記トラックの長手方向と交差する方向への該プリグルーブの変位により構成されたウォブルを呈しており、該ウォブルが、前記トラックの開始点に対する物理アドレスの物理的な位置を示す物理アドレス情報を表すウォブル変調を呈しており、前記プリグルーブが、該プリグルーブの形状に関連する物理パラメータの変動により構成されるプリグルーブ変調を呈しており、該プリグルーブ変調が、補助制御情報を表すものであり、前記ウォブル変調が、前記走査中において、第２のタイプの前記放射の変動により検出可能なものであり、前記プリグルーブ変調が、前記走査中において、前記第１のタイプのさらなる変動により検出可能なものであることを特徴とする記録担体。
【請求項２】
前記第１のタイプの変動が、前記放射に対する前記トラックの反射レベルの変動であることを特徴とする請求項１記載の記録担体。
【請求項３】
前記プリグルーブ変調が、前記プリグルーブの深さまたは幅の変動により構成されていることを特徴とする請求項１記載の記録担体。
【請求項４】
前記プリグルーブ変調が、前記補助制御情報を表すプリグルーブマークのパターンを構成するため交互に配された、深さゼロのプリグルーブ・ランド領域と、予め規定された深さおよび幅を有するプリグルーブ・ピット領域とを含むことを特徴とする請求項３記載の記録担体。
【請求項５】
前記トラック中の前記マークが、チャネルビット長Ｔの整数個分に対応する長さを有しており、最短のマークが、前記ビームにより前記トラック上に構成される有効径を有する走査スポットにより検出可能であるために、前記チャネルビット長Ｔの予め規定された最少個数分ｄの長さを有しており、前記プリグルーブ変調が、長いプリグルーブマークのキャリアパターンにより構成されており、前記長いプリグルーブマークが、前記走査スポットの前記有効径よりも実質的に長くあるために、前記チャネルビット長Ｔの前記予め規定された最少個数分ｄの少なくとも２倍の長さを有していることを特徴とする請求項１記載の記録担体。
【請求項６】
前記予め規定された最少個数分ｄが、前記チャネルビット長Ｔの３個分であり（ｄ＝３Ｔ）、前記長いマークが、少なくとも６Ｔの長さ、とりわけ８Ｔから１４Ｔの範囲内にある長さを有することを特徴とする請求項５記載の記録担体。
【請求項７】
前記プリグルーブ変調が、予め規定されたチャネルコード化アルゴリズムに従って前記プリグルーブマークによりコード化された前記補助制御情報を表しており、前記予め規定されたチャネルコード化アルゴリズムが、前記トラック中の前記マークに前記情報をコード化するためのチャネルコード化アルゴリズムとは異なるアルゴリズムであることを特徴とする請求項４または５記載の記録担体。
【請求項８】
前記プリグルーブ変調が、前記ウォブル変調と位置合わせされていることを特徴とする請求項１記載の記録担体。
【請求項９】
当該記録担体が、
少なくとも第１の記録層と第２の記録層とを備え、前記第１の記録層が、前記第２の記録層よりも前記入射面に近い位置にあり、
前記記録層同士の間に配された少なくとも１つの透明スペーサー層を備えていることを特徴とする請求項１から８いずれか１項記載の記録担体。
【請求項１０】
各記録層が、前記プリグルーブが前記プリグルーブ変調を呈するディスク情報領域を含み、該ディスク情報領域が、前記記録層の前記記録可能な領域よりも実質的に小さく、かつ各記録層の前記ディスク情報領域が、実質的に対応する半径方向位置に配されていることを特徴とする請求項９記載の記録担体。
【請求項１１】
少なくとも１つの記録層を有する記録担体上の、前記記録層の記録可能な領域上のマークを含むトラックを、前記記録担体の入射面から入射し、前記トラック上において有効径を有する走査スポットを構成する放射ビームによって、走査する装置であって、
前記記録担体が、
−  前記記録層の各々が、前記トラックの位置を示すプリグルーブを含んでおり、該プリグルーブが、前記トラックの長手方向と交差する方向への該プリグルーブの変位により構成されたウォブルを呈しており、該ウォブルが、前記トラックの開始点に対する物理アドレスの物理的な位置を示す物理アドレス情報を表すウォブル変調を呈しており、前記プリグルーブが、該プリグルーブの形状に関連する物理パラメータの変動により構成されるプリグルーブ変調を呈しており、該プリグルーブ変調が、補助制御情報を表すものである記録担体であって、
当該装置が、
−  前記ビームを与えるヘッドと、
−  第１のタイプの放射の変動に起因する走査信号の変動を検出することにより前記トラック中のマークを検出するための、走査信号を発生させるフロントエンドユニットと、
−  第２のタイプの前記放射の変動を検出することにより、前記ウォブル変調から、前記物理アドレス情報を取り出すウォブル検出手段と、
−  前記第１のタイプの前記放射の変動に起因する走査信号のさらなる変動を検出することにより、前記記録層上の前記プリグルーブ変調から、前記補助制御情報を取り出すプリグルーブ復調手段とを含むことを特徴とする装置。
【請求項１２】
前記記録担体上において、前記マークが、チャネルビット長Ｔの整数個分に対応する長さを有しており、最短のマークが、前記有効径を有する前記走査スポットにより検出可能であるために、前記チャネルビット長Ｔの予め規定された最少個数分ｄの長さを有しており、前記プリグルーブ変調が、長いプリグルーブマークのキャリアパターンにより構成されており、前記長いプリグルーブマークが、前記走査スポットの前記有効径よりも実質的に長くあるために、前記チャネルビット長Ｔの前記予め規定された最少個数分ｄの少なくとも２倍の長さを有しており、前記プリグルーブ復調手段が、前記長いプリグルーブマークに起因する前記走査信号の前記さらなる変動を検出するように構成されていることを特徴とする請求項１１記載の装置。
【請求項１３】
前記プリグルーブ復調手段が、予め規定されたチャネルコード化アルゴリズムに従って前記プリグルーブ変調にコード化された、前記補助制御情報を取り出すように構成されており、前記予め規定されたチャネルコード化アルゴリズムが、前記トラック中の前記マークに情報をコード化するためのチャネルコード化アルゴリズムとは異なるアルゴリズムであることを特徴とする請求項１１または１２記載の装置。
【請求項１４】
まず前記プリグルーブ復調手段を介して前記補助制御情報を取り出し、続いて前記記録担体の制御領域内に該補助制御情報を記録するための、制御ユニットを含むことを特徴とする請求項１１から１３いずれか１項記載の装置。
【請求項１５】
前記記録担体が、
少なくとも第１の記録層と第２の記録層とを備え、前記第１の記録層が、前記第２の記録層よりも前記入射面に近い位置にあり、
前記記録層同士の間に配された少なくとも１つの透明スペーサー層を備えていることを特徴とする請求項１１から１４いずれか１項記載の装置。